(57)【要約】【課題】ファイル検索中における画像を表示するまでの時間を短縮すること。【解決手段】画像を記録及び再生する画像処理装置であって、前記画像を記録する記録手段と、装置の起動時に前記記録手段に記録されたファイル情報を検索する検索手段と、装置に対して所定の操作を指示する操作手段と、前記検索手段による検索中に前記操作手段による操作がなされた場合、当該検索が終了する前であっても前記操作を受付可能にする制御手段とを具備する。【選択図】      図４
2006229595.tif 000002
【特許請求の範囲】
【請求項１】
画像を記録及び再生する画像処理装置であって、
前記画像を記録する記録手段と、
装置の起動時に前記記録手段に記録されたファイル情報を検索する検索手段と、
装置に対して所定の操作を指示する操作手段と、
前記検索手段による検索中に前記操作手段による操作がなされた場合、当該検索が終了する前であっても前記操作を受付可能にする制御手段とを具備することを特徴とする画像処理装置。
【請求項２】
前記ファイル情報は前記記録手段に作成されたディレクトリ及び画像ファイルの情報を含むことを特徴とする請求項１に記載の画像処理装置。
【請求項３】
前記画像を表示部に再生する再生手段と、前記再生手段により画像の再生を行う再生モードを設定する設定手段を更に備え、
前記制御手段は、前記装置が前記再生モードで起動された場合、前記検索手段による検索が終了する前に、前記記録手段に記録された一の画像を前記表示部に表示させることを特徴とする請求項１又は２に記載の画像処理装置。
【請求項４】
前記再生モードは、再生動作を指示するための操作がなされた時に、再生される画像ファイルの順番を、予め指定された再生順序に従って１ファイル分だけ進める第１の再生モードと、再生される画像ファイルの順番を、予め設定された再生順序に従って所定ファイル分だけ進める第２の再生モードとを含むことを特徴とする請求項３に記載の画像処理装置。
【請求項５】
前記制御手段は、前記操作手段から受付可能ではない操作がなされた場合、前記表示部に受け付けできない旨の警告を表示させることを特徴とする請求項３に記載の画像処理装置。
【請求項６】
前記受付可能ではない操作とは、前記検索手段により全てのファイル情報の検索が終了しなければ処理を実行できない操作であることを特徴とする請求項５に記載の画像処理装置。
【請求項７】
前記受付可能な操作は、表示部に表示する画像を順次コマ送りするための操作、表示部に表示する画像を拡大及び縮小するための操作、前記装置の電源をオフするための操作、表示部に表示する画像に関する付加情報の表示・非表示を切り替えるための操作、ＰＣ・プリンタに画像を転送する操作の少なくとも１つを含むことを特徴とする請求項１乃至６のいずれか１項に記載の画像処理装置。
【請求項８】
前記受付可能ではない操作は、前記記録手段に記録されたファイル情報を消去するための操作、前記記録手段に記録されたファイル情報に音声情報を付加するための操作、前記記録手段に記録されたファイルを一のディレクトリから別のディレクトリに移動するための操作、前記記録手段に新しいファイルを作成するための操作、前記記録手段に存在するファイルをコピーするための操作、前記表示部に複数の縮小画像をインデックス表示させるための操作、前記記録手段に記録されたファイル数に増減が発生する操作、前記記録手段に記録されたディレクトリの構成に変化が発生する操作、前記記録手段に記録されたファイルから特定のファイルを検索する操作の少なくとも１つを含むことを特徴とする請求項６に記載の画像処理装置。
【請求項９】
前記制御手段は、前記記録手段に記録された全てのファイル情報の検索が終了するまでは、ファイル枚数に関する付加情報を表示させないことを特徴とする請求項７に記載の画像処理装置。
【請求項１０】
画像を記録する記録手段と、所定の操作を指示する操作手段とを有する画像処理装置の制御方法であって、
装置の起動時に前記記録手段に記録されたファイル情報を検索する検索工程と、
前記検索工程による検索中に前記操作手段による操作がなされた場合、当該検索が終了する前であっても前記操作を受付可能にする制御工程とを備えることを特徴とする制御方法。
【請求項１１】
前記ファイル情報は前記記録手段に作成されたディレクトリ及び画像ファイルの情報を含むことを特徴とする請求項１０に記載の制御方法。
【請求項１２】
前記画像を表示部に再生する再生工程と、前記再生工程により画像の再生を行う再生モードを設定する設定工程を更に備え、
前記制御工程では、前記装置が前記再生モードで起動された場合、前記検索工程による検索が終了する前に、前記記録手段に記録された一の画像を前記表示部に表示させることを特徴とする請求項１０又は１１に記載の制御方法。
【請求項１３】
前記再生モードは、再生動作を指示するための操作がなされた時に、再生される画像ファイルの順番を、予め指定された再生順序に従って１ファイル分だけ進める第１の再生モードと、再生される画像ファイルの順番を、予め設定された再生順序に従って所定ファイル分だけ進める第２の再生モードとを含むことを特徴とする請求項１２に記載の制御方法。
【請求項１４】
前記制御工程では、前記操作手段から受付可能ではない操作がなされた場合、前記表示部に受け付けできない旨の警告を表示させることを特徴とする請求項１２に記載の制御方法。
【請求項１５】
前記受付可能ではない操作とは、前記検索工程により全てのファイル情報の検索が終了しなければ処理を実行できない操作であることを特徴とする請求項１４に記載の制御方法。
【請求項１６】
前記受付可能な操作は、表示部に表示する画像を順次コマ送りするための操作、表示部に表示する画像を拡大及び縮小するための操作、前記装置の電源をオフするための操作、表示部に表示する画像に関する付加情報の表示・非表示を切り替えるための操作、ＰＣ・プリンタに画像を転送する操作の少なくとも１つを含むことを特徴とする請求項１０乃至１５のいずれか１項に記載の制御方法。
【請求項１７】
前記受付可能ではない操作は、前記記録手段に記録されたファイル情報を消去するための操作、前記記録手段に記録されたファイル情報に音声情報を付加するための操作、前記記録手段に記録されたファイルを一のディレクトリから別のディレクトリに移動するための操作、前記記録手段に新しいファイルを作成するための操作、前記記録手段に存在するファイルをコピーするための操作、前記表示部に複数の縮小画像をインデックス表示させるための操作、前記記録手段に記録されたファイル数に増減が発生する操作、前記記録手段に記録されたディレクトリの構成に変化が発生する操作、前記記録手段に記録されたファイルから特定のファイルを検索する操作の少なくとも１つを含むことを特徴とする請求項１５に記載の制御方法。
【請求項１８】
前記制御工程では、前記記録手段に記録された全てのファイル情報の検索が終了するまでは、ファイル枚数に関する付加情報を表示させないことを特徴とする請求項１６に記載の制御方法。
【請求項１９】
請求項１０乃至１８のいずれか１項に記載の制御方法を、画像を記録及び再生する画像処理装置に搭載されたコンピュータに実行させるためのプログラム。
【請求項２０】
請求項１９に記載のプログラムを記憶したことを特徴とするコンピュータ可読記憶媒体。
【発明の詳細な説明】
【技術分野】
【０００１】
本発明は、静止画像や動画像や音声等を記録及び再生する画像処理装置及びその制御方法、コンピュータプログラム、並びにコンピュータ読み取り可能な記憶媒体に関する。
【背景技術】
【０００２】
従来、固体メモリ素子を有するメモリカードを記録媒体として、静止画像や動画像を撮影、記録、再生する電子カメラ等の画像処理装置は既に市販されており、カラー液晶パネル等の電子ファインダーに記録媒体に記録した静止画像や動画像を再生表示する装置も販売されている。
【０００３】
また、近年では、メモリカード等の記録媒体の大容量化が進み、一枚のメモリカードに多くの画像を保存することが可能になっている。同時に、メモリカード内に多くのディレクトリを作成することが可能になっている。
【特許文献１】特開２００４−１１２７０８公報
【発明の開示】
【発明が解決しようとする課題】
【０００４】
このような従来の画像処理装置においては、メモリカードに多くの画像やディレクトリを保存した状態で、メモリカード内の画像を再生表示するために画像処理装置を起動した場合、メモリカードに保存されている画像の検索に時間がかかるため、ボタン押下などの操作が受付可能になるまでの時間が長いという問題があった。
【０００５】
本発明は、上記課題に鑑みてなされ、その目的は、ファイル検索中における画像データを表示するまでの時間を短縮することである。
【課題を解決するための手段】
【０００６】
上記課題を解決し、目的を達成するために、本発明は、画像を記録及び再生する画像処理装置であって、前記画像を記録する記録手段と、装置の起動時に前記記録手段に記録されたファイル情報を検索する検索手段と、装置に対して所定の操作を指示する操作手段と、前記検索手段による検索中に前記操作手段による操作がなされた場合、当該検索が終了する前であっても前記操作を受付可能にする制御手段とを具備する。
【０００７】
また、本発明は、画像を記録する記録手段と、所定の操作を指示する操作手段とを有する画像処理装置の制御方法であって、装置の起動時に前記記録手段に記録されたファイル情報を検索する検索工程と、前記検索工程による検索中に前記操作手段による操作がなされた場合、当該検索が終了する前であっても前記操作を受付可能にする制御工程とを備える。
【発明の効果】
【０００８】
本発明によれば、装置の起動時にファイルやディレクトリの検索中であっても、所定の操作が受付可能になるまでの時間を短縮できる。その結果、ユーザによる再生等の操作を快適に行うことが可能となる。
【発明を実施するための最良の形態】
【０００９】
以下に、添付図面を参照して本発明の好適な実施形態について詳細に説明する。
【００１０】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１１】
図１は、本発明に係る実施形態の電子カメラの構成を示す図である。
【００１２】
図１において、１００は電子カメラ等に代表される画像処理装置である。
【００１３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換部である。
【００１４】
１８は撮像素子１４、Ａ／Ｄ変換部１６、Ｄ／Ａ変換部２６にクロック信号や制御信号を供給するタイミング発生部であり、メモリ制御部２２及びシステム制御部５０により制御される。
【００１５】
２０は画像処理部であり、Ａ／Ｄ変換部１６からのデータ或いはメモリ制御部２２からのデータに対して所定の画素補間処理や色変換処理を行う。
【００１６】
また、画像処理部２０においては、撮像した画像データを用いて所定の演算処理を行い、得られた演算結果に基づいてシステム制御部５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１７】
さらに、画像処理部２０においては、撮像した画像データを用いて所定の演算処理を行い、得られた演算結果に基づいてＴＴＬ方式のＡＷＢ（オートホワイトバランス）処理も行っている。
【００１８】
２２はメモリ制御部であり、Ａ／Ｄ変換部１６、タイミング発生部１８、画像処理部２０、画像表示メモリ２４、Ｄ／Ａ変換部２６、メモリ３０、圧縮・伸長部３２、Ａ／Ｄ変換部７２を制御する。
【００１９】
Ａ／Ｄ変換部１６のデータが画像処理部２０、メモリ制御部２２を介して、或いはＡ／Ｄ変換部１６のデータが直接メモリ制御部２２を介して、画像表示メモリ２４或いはメモリ３０に書き込まれる。
【００２０】
２４は画像表示メモリ、２６はＤ／Ａ変換部、２８はＴＦＴ ＬＣＤ等から成る画像表示部であり、画像表示メモリ２４に書き込まれた表示用の画像データはＤ／Ａ変換部２６を介して画像表示部２８により表示される。
【００２１】
画像表示部２８を用いて撮像した画像データを逐次表示すれば、電子ファインダー機能を実現することが可能である。
【００２２】
また、画像表示部２８は、システム制御部５０の指示により任意に表示をＯＮ／ＯＦＦすることが可能であり、表示をＯＦＦにした場合には画像処理装置１００の電力消費を大幅に低減することができる。
【００２３】
３０は撮影した静止画像や動画像を格納するためのメモリであり、所定枚数の静止画像や所定時間の動画像を格納するのに十分な記憶量を備えている。
【００２４】
これにより、複数枚の静止画像を連続して撮影する連写撮影やパノラマ撮影の場合にも、高速かつ大量の画像書き込みをメモリ３０に対して行うことが可能となる。
【００２５】
また、メモリ３０はシステム制御部５０の作業領域としても使用することが可能である。
【００２６】
３２は適応離散コサイン変換（ＡＤＣＴ）等により画像データを圧縮伸長する圧縮・伸長部であり、メモリ３０に格納された画像を読み込んで圧縮処理或いは伸長処理を行い、処理を終えたデータをメモリ３０に書き込む。
【００２７】
４０は絞り機能を備えるシャッター１２を制御する露光制御部であり、フラッシュ４８と連携することによりフラッシュ調光機能も有するものである。
【００２８】
４２は撮影レンズ１０のフォーカシングを制御する測距制御部、４４は撮影レンズ１０のズーミングを制御するズーム制御部、４６はバリアである保護部１０２の動作を制御するバリア制御部である。
【００２９】
４８はフラッシュであり、ＡＦ補助光の投光機能、フラッシュ調光機能も有する。
【００３０】
露光制御部４０、測距制御部４２はＴＴＬ方式を用いて制御されており、撮像した画像データを画像処理部２０によって演算した演算結果に基づき、システム制御部５０が露光制御部４０、測距制御部４２に対して制御を行う。
【００３１】
５０は画像処理装置１００全体を制御するシステム制御部、５２はシステム制御部５０の動作用の定数、変数、プログラム等を記憶するメモリである。
【００３２】
５４はシステム制御部５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３３】
また、表示部５４は、その一部の機能が光学ファインダー１０４内に設置されている。
【００３４】
表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信I/F動作表示、日付け・時刻表示、等がある。
【００３５】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３６】
５６は電気的に消去・記録可能な不揮発性メモリであり、例えばＥＥＰＲＯＭ等が用いられる。
【００３７】
６０、６１、６２、６４、６６、６８及び７０は、システム制御部５０の各種の動作指示を入力するための操作部であり、スイッチやダイアル、タッチパネル、視線検知によるポインティング、音声認識装置等の単数或いは複数の組み合わせで構成される。
【００３８】
ここで、これらの操作部の具体的な説明を行う。
【００３９】
６０は電源ＯＮ／ＯＦＦスイッチで、画像処理装置１００の起動・終了を行う。
【００４０】
６１はモードダイアルスイッチで、撮影モード、再生モード等の各機能モードを切り替え設定することができる。
【００４１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４２】
６４はシャッタースイッチＳＷ２で、不図示のシャッターボタンの操作完了でＯＮとなり、撮像素子１４から読み出した信号をＡ／Ｄ変換部１４、メモリ制御部２２を介してメモリ３０に画像データを書き込む露光処理、画像処理部２０やメモリ制御部２２での演算を用いた現像処理、メモリ３０から画像データを読み出し、圧縮・伸長部３２で圧縮を行い、記録媒体２００に画像データを書き込む記録処理という一連の処理の動作開始を指示する。
【００４３】
６６は画像表示ＯＮ／ＯＦＦスイッチで、画像表示部２８のＯＮ／ＯＦＦを設定することができる。
【００４４】
この機能により、光学ファインダー１０４を用いて撮影を行う際に、ＴＦＴ ＬＣＤ等から成る画像表示部への電流供給を遮断することにより、省電力を図ることが可能となる。
【００４５】
６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００４６】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００４７】
７１はマイクで、音声を電気情報に変換する。７２はマイク７１からのアナログ信号をディジタル信号に変換するＡ／Ｄ変換部である。
【００４８】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００４９】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００５０】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００が装着されているか否かを検知する記録媒体着脱検知部である。
【００５１】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ(登録商標)）カード等の規格に準拠したものを用いて構成して構わない。
【００５２】
さらに、インターフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００５３】
１０２は、画像処理装置１００のレンズ１０を含む撮像部を覆うことにより、撮像部の汚れや破損を防止するバリアである保護部である。
【００５４】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５５】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５６】
１１２は通信部１１０により画像処理装置１００を他の機器と接続するコネクタ或いは無線通信の場合はアンテナである。
【００５７】
２００はメモリカードやハードディスク等の記録媒体である。
【００５８】
記録媒体２００は、半導体メモリや磁気ディスク等から構成される記録部２０２、画像処理装置１００とのインターフェース２０４、画像処理装置１００と接続を行うコネクタ２０６を備えている。
【００５９】
図２は、本発明に係る実施形態の画像処理装置１００の背面の一例である。３０１はメニューボタンで、メニューの表示・非表示を行うことができる。メニューにより、記録媒体２００に記録している画像の全消去や、現在表示している画像に音声情報を付加することができる。付加した音声情報はファイルとして記録媒体２００に記録される。
【００６０】
３０２は決定ボタンで、メニューで選択した項目の決定を行うことができる。
【００６１】
３０３は情報表示ＯＮ／ＯＦＦボタンで、再生画像の情報表示のＯＮ／ＯＦＦを切り替えることができる。表示する情報としては、ファイル番号・画像番号・撮影日時などがある。
【００６２】
３０４は消去ボタンで、再生画像の消去を行うことができる。
【００６３】
３０５は検索ボタンで、記録媒体２００に記録している画像の検索を行うことができる。検索方法としては、１０枚ジャンプ・動画ジャンプ・日付ジャンプなどがある。１０枚ジャンプは、１０枚づつ飛ばして再生表示を行う。動画ジャンプは動画像を検索する。日付ジャンプは日付で画像の検索を行う。
【００６４】
３０６はインデックス再生ボタンで、インデックス再生表示のＯＮ／ＯＦＦを切り替えることができる。インデックス表示は、表示部５４に複数の画像の再生表示を行うことができる。
【００６５】
３０７は縮小ボタンで、再生表示している画像が拡大表示されているときは、縮小表示を行うことができる。撮影時には、ズームレンズを広角側に移動する操作部材でもある。
【００６６】
３０８は拡大ボタンで、再生表示している画像を拡大表示することができる。撮影時には、ズームレンズを望遠側に移動する操作部材でもある。
【００６７】
３０９は左ボタン、３１０は右ボタン、３１１は上ボタン、３１２は下ボタンであり、メニュー表示時などに選択項目を変更することができる。また、左ボタン３０９、右ボタン３１０は再生画像のコマ送り操作を行うことができる。
【００６８】
３１３はイージーダイレクトボタンで、通信部１１０を通じて、ＰＣと接続されているときは、表示部５４に表示中の画像をＰＣに転送することができる。また、通信部１１０を通じて、プリンタと接続されているときは、表示部５４に表示中の画像をプリンタに転送し、印刷することができる。
【００６９】
図５は記録媒体２００に記録されている画像のディレクトリ構造の一例である。ルートの下にDCIMディレクトリがあり、さらにその下にxxxGANON（例えば100GANON）ディレクトリがある。xxxGANONの下に、画像ファイルIMG_xxxx.JPGやMVI_xxxx.AVIがある。IMG_xxxx.JPGは静止画像ファイルであり、MVI_xxxx.AVIは動画像ファイルである。図５の例では、IMG_0001.JPGは画像番号１、IMG_0002.JPGは画像番号２、IMG_0101.JPGは画像番号６、IMG_9803は画像番号１２として扱う。ディレクトリxxxGANONのxxxをディレクトリ番号と呼び、100〜999までを取り得る。画像ファイルIMG_xxxx.JPG、AVI_xxxx.JPGのxxxxをファイル番号と呼び、0001〜9999までを取り得る。ディレクトリ番号が一番小さいディレクトリにあるファイルの中で、ファイル番号が一番小さな画像ファイルは画像番号１である。ディレクトリ番号が一番大きいディレクトリにあるファイルの中で、ファイル番号が一番大きな画像ファイルの画像番号は一番大きな画像番号を持つ（画像番号＝総画像枚数）。
【００７０】
図６はメニューボタン３０１により表示されるメニューの一例である。メニューにより再生表示している画像の全消去・音声メモの付加が可能である。この例では、全消去の項目が選択されている。この状態で３０２決定ボタンを押すと、記録媒体２００に記録されている画像の全消去が行われる。
【００７１】
図７は情報表示ＯＮ／ＯＦＦボタン３０３により表示される情報表示の一例である。情報表示ＯＦＦ時は（ａ）のように、記録媒体２００に記録している画像のみを再生表示する。情報表示ＯＮ時は（ｂ）のように画像の再生表示に加えて、ファイル番号７０１、画像番号７０２、撮影日時７０３の表示を行う。ファイル番号７０１は、ディレクトリ番号998・ファイル番号9802であることを表している。画像番号７０２は、再生画像番号／総画像枚数を表している。この例では、再生画像番号が１１で、総画像枚数が１２枚であることを表している。撮影日時７０３は、２００４年１２月１６日１２時０分に撮影した画像であることを表している。（ａ）情報表示なしの状態で情報表示ＯＮ／ＯＦＦ３０３ボタンを押下すると、（ｂ）情報表示ありの表示を行う。（ｂ）情報表示ありの状態で情報表示ＯＮ／ＯＦＦボタンを押下すると、（ａ）情報表示なしの表示を行う。
【００７２】
図８は消去ボタン３０４により表示される削除画面の一例である。この例では、ＯＫが選択されている。この状態で決定ボタン３０２を押すと、表示中の画像を記録媒体２００から消去する。
【００７３】
図９は検索ボタン３０５により表示される検索画面の一例である。検索画面が表示されていない状態で、検索ボタン３０５を押すと、（ａ）１０枚ジャンプ画面が表示される。（ａ）１０枚ジャンプ画面が表示されている状態で、左ボタン３０９を押下すると、現在表示されている画像の画像番号より１０小さい画像番号を持つ画像を再生表示することができる。一方、右ボタン３１０を押下すると、現在表示されている画像の画像番号より１０大きい画像番号を持つ画像を再生表示することができる。
【００７４】
（ａ）１０枚ジャンプ画面が表示されている状態で、検索ボタン３０５を押下すると、（ｂ）動画ジャンプ画面を表示する。（ｂ）動画ジャンプ画面が表示されている状態で、左ボタン３０９を押下すると、現在表示されている画像より小さい画像番号を持ち、かつ、現在表示されている画像と最も番号の近い動画像の表示を行う。一方、右ボタン３１０を押下すると、再生表示されている画像より、大きい画像番号を持ち、かつ、現在表示されている画像と最も番号の近い動画像の表示を行う。
【００７５】
（ｂ）動画ジャンプ画面が表示されている状態で、検索ボタン３０５を押下すると、（ｃ）日付ジャンプ画面を表示する。（ｃ）日付ジャンプ画面が表示されている状態で、左ボタン３０９を押下すると、再生表示されている画像より、すぐ前にある動画像の表示を行う。一方、右ボタン３１０を押下すると、再生表示されている画像より、すぐ後ろにある動画像の表示を行う。
【００７６】
すなわち、本実施形態によれば、再生時のモードとして、左ボタン３０９又は右ボタン３１０が１回押下された時に、再生される記憶媒体上のファイルの順番を、予め指定された再生順序（正順または逆順）に従って１ファイル分だけ進める第１の再生モードと、上記ボタンが１回押下された時に、再生されるファイルの順番を、予め設定された再生順序に従ってｎ（ｎ≧１）ファイル分だけ進める状態であることを示す第２の再生モードとが設けられる。ｎの数値は、撮影した全ファイル数に対応して所定の算式により自動的に決定されるがユーザにより任意に設定することも可能である。
【００７７】
図１０はインデックス再生ボタン３０６を押下したときの表示の一例である。表示部５４に複数（ここでは４枚）の画像を同時に表示する。
【００７８】
図１１は縮小ボタン３０７、拡大ボタン３０８を押下したときの拡大画面の一例である。（ａ）通常表示状態のときに、拡大ボタン３０８を押下すると拡大表示を行う（（ｂ）拡大表示１）。（ｂ）拡大表示１の状態で、拡大ボタン３０８を押下するとさらに拡大表示を行う（（ｃ）拡大表示２）。一方、（ｂ）拡大表示１の状態で、縮小ボタン３０７を押下すると（ａ）通常表示に戻る。（ｃ）拡大表示２の状態で、縮小ボタン３０７を押下すると（ｂ）拡大表示１の表示を行う。
【００７９】
図３、図４は本実施形態による処理フローである。
【００８０】
画像処理装置１００のユーザがモードダイアル６１を再生モードにして、電源ＯＮ／ＯＦＦボタン６０を押下すると、システム制御部５０はフラグや制御変数等を初期化し（Ｓ１０１）、記録媒体２００に記録されている画像のうち最後の画像を検索・取得する（Ｓ１０２）。記録媒体２００に記録されている画像のディレクトリ構成が図５のようであったなら、最大の画像番号を持つ998GANONディレクトリの下にあるIMG_9803.JPGを取得する。
【００８１】
次にシステム制御部５０は、最後の画像IMG_9803.JPGを表示部５４に表示し（Ｓ１０３）、ディレクトリの検索を開始する（Ｓ１０４）。ディレクトリの検索は、どのようなディレクトリがあるか、全部で何枚の画像ファイルがあるか、動画像ファイルは何枚あるのか、動画像ファイルはどのディレクトリに保存されているのか、撮影日時が変化する画像はどこか、などのファイル情報の検索を行う。
【００８２】
システム制御部５０は、ディレクトリの検索を開始（Ｓ１０４）した後、定期的にボタンが押されたかどうかのチェックを行う（Ｓ１０５）。定期的にチェックを行う周期は、どのような周期でも良い。例えば150msec間隔などで行っても良い。Ｓ１０５でボタンの押下を検出したならば、Ｓ１０６のボタン押下処理に進み、押下されたボタンに合わせて処理を行う。Ｓ１０６のボタン押下処理に関しては、図４を用いて後述する。
【００８３】
次にシステム制御部５０は、Ｓ１０７に進む。Ｓ１０７でディレクトリの検索が終了したかどうかを判定し、終了していない場合はＳ１０５に戻る。一方、Ｓ１０７でディレクトリ検索が終了していた場合は、Ｓ１０８の総画像枚数表示処理を行う。ディレクトリ検索処理が終了するまでは総画像枚数が取得できないため、情報表示を行った場合は、図１２のように再生画像番号と総画像枚数が表示されない。そのため、ディレクトリ検索処理終了後にＳ１０８の総画像枚数表示処理を行い、図７の（ｂ）情報表示あり、と同じ表示を行う。
【００８４】
次に、システム制御部５０は、Ｓ１０９の通常の再生処理状態に進み、通常の再生動作を行う。通常の再生動作では、メニュー表示・情報表示ＯＮ／ＯＦＦ切り替え・消去・検索・インデックス再生・拡大縮小など、すべての操作を行うことが可能である。
【００８５】
図４は、図３におけるＳ１０６のボタン押下処理の詳細な処理フローである。
【００８６】
システム制御部５０は、押下されたボタンの種類を判別し（Ｓ２０１）、メニューボタン３０１、消去ボタン３０４、検索ボタン３０５、インデックス再生ボタン３０６であった場合は、Ｓ２０２に進み２秒間「処理中」を表示する。図１３は、「処理中」を表示している画面の一例である。「処理中」は、ボタン操作が受け付けられないことを、画像処理装置１００のユーザに知らせるために行うものである。
【００８７】
システム制御部５０はＳ２０１で電源ＯＮ／ＯＦＦボタン６０が押下されたと判定したならば、画像処理装置の終了処理を行い、電源をＯＦＦする（Ｓ２０３）。
【００８８】
システム制御部５０はＳ２０１で縮小ボタン３０７、拡大ボタン３０８が押されたと判定したならば、現在表示している画像の拡大・縮小処理を行う（Ｓ２０４）。拡大・縮小処理に関しては、図１１を用いて前述した通りである。
【００８９】
システム制御部５０はＳ２０１で左ボタン３０９、右ボタン３１０のコマ送りボタンが押されたと判定したならば、コマ送り操作を行う（Ｓ２０５〜Ｓ２０８）。システム制御部５０は、Ｓ１０４で開始したディレクトリ検索を一時中止し（Ｓ２０５）、どこまで検索を行ったか・何枚の画像を検索したかなどの情報をメモリ３０に保持しておく。次にシステム制御部５０は、コマ送りにより表示する画像の検索を行い（Ｓ２０６）、検索した画像の表示を行う（Ｓ２０７）。例えば、記録媒体２００に記録されている画像ファイルのディレクトリ構成が図５の状態であり、現在、IMG_9802.JPGが表示部５４に表示されていたとするならば、左ボタン３０９が押されたときはIMG_9801.JPGを表示し、右ボタン３１０が押されたときはIMG_9803.JPGの画像ファイルを表示部５４に表示する。次にシステム制御部５０は、Ｓ２０５でディレクトリ検索を一時中止したときにメモリ３０に保持した情報を元に、ディレクトリ検索処理を再開する（Ｓ２０８）。
【００９０】
システム制御部５０はＳ２０１でイージーダイレクトボタンが押下されたと判定したならば、現在表示している画像をＰＣ、あるいはプリンタに転送する。システム制御部５０は通信部１１０を通じて接続している機器を判定し、接続している機器に表示部５４に表示している画像を転送する（Ｓ２１０）。
【００９１】
システム制御部５０はＳ２０１で情報表示ＯＮ／ＯＦＦボタンが押されたと判定したならば、情報表示ＯＮ／ＯＦＦの切り替え処理を行う（Ｓ２０９）。情報表示ＯＮ／ＯＦＦ処理は図７を用いて前述した通りである。ただし、情報表示ＯＮ時は、ディレクトリの検索が終わっていないと総画像枚数の取得ができないため、図１２のように再生画像番号/総画像枚数の表示だけは行わない。
【００９２】
このように、本実施形態によれば、再生起動後、操作を受け付け可能になるまでに要する時間を短縮することが可能となる。全てのディレクトリ及び／又はファイルの検索が終了する前に、コマ送り、拡大縮小表示、情報表示ＯＮ／ＯＦＦ切り替え、電源ＯＦＦ、画像転送の各処理を行うことが可能になる。一方、削除処理や、音声メモの付加などのディレクトリ構成の変更が発生する操作、および、一度に多くの画像を表示するインデックス再生は受け付けない。受け付けできない操作が行われたときは、受け付けできないことを示す表示を行うことによって、画像処理装置のユーザに通知することが可能となる。
【００９３】
本実施形態ではディレクトリ構成の変更が発生する例として、ファイルの消去、音声メモを挙げたが、例えば、ファイルのコピー、移動、新規作成などが発生する操作もディレクトリ構成の変更が発生する操作として、全てのディレクトリ検索が終了するまでは、操作を受け付けないように構成してももちろん構わない。
【００９４】
本実施形態では検索ボタン３０５を設けるように構成したが、例えば、図２の上ボタン３１１を検索ボタンと兼用するように構成しても構わない。
図７の表示例のように、メニューなどの表示を行っていないとき（即ち、画像の再生表示中）に、上ボタン３１１が押下されると、検索処理に移行し、図９の（ａ）の１０枚ジャンプ画面が表示される。図９の（ａ）の状態において、さらに上下ボタン（３１１，３１２）を押すことで、他の検索処理、例えば、１００枚ジャンプ・動画ジャンプ・日付ジャンプなどを選択できる。上ボタンだけでなく、どのボタンを検索ボタンと兼用するように構成しても、もちろん構わない。
上述したように、既存のボタン、例えば、上ボタンを兼用することで、操作部材を減らし、画像処理装置１００を小型化することができる。
【００９５】
本実施形態は、前述した実施形態の機能を実現するソフトウェアのプログラムコードを記録したコンピュータ読み取り可能な記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによって、達成することができる。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９６】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９７】
本実施形態を上記記録媒体に適用する場合、その記録媒体には、先に説明したフローチャートに対応するプログラムコードが格納されることになる。
【００９８】
尚、本実施形態は、複数の機器（例えば、ホストコンピュータ、インターフェース機器、リーダ、プリンタ等）から構成されるシステムに適用しても、一つの機器からなる装置（例えば、複写機、ファクシミリ装置等）に適用してもよい。
【図面の簡単な説明】
【００９９】
【図１】本発明に係る一実施形態の画像処理装置の構成を示すブロック図である。
【図２】本発明に係る画像処理装置の背面の一例である。
【図３】本実施形態の主ルーチンのフローチャートである。
【図４】本実施形態のボタン押下処理のフローチャートである。
【図５】本実施形態のディレクトリ構成の一例である。
【図６】本実施形態のメニュー表示の一例である。
【図７】本実施形態の情報表示あり／なしの表示画面の一例である。
【図８】本実施形態の消去処理時の表示画面の一例である。
【図９】本実施形態の検索処理時の表示画面の一例である。
【図１０】本実施形態のインデックス再生表示時の表示画面の一例である。
【図１１】本実施形態の拡大処理の表示画面の一例である。
【図１２】本実施形態のディレクトリ検索中に出す情報表示画面の一例である。
【図１３】本実施形態の操作が受け付けられないときの表示画面の一例である。
【符号の説明】
【０１００】
１０：撮影レンズ
１２：シャッター
１４：撮像素子
１６：Ａ／Ｄ変換部
１８：タイミング発生部
２０：画像処理部
２２：メモリ制御部
２４：画像表示メモリ
２６：Ｄ／Ａ変換部
２８：画像表示部
３０：メモリ
３２：画像圧縮・伸長部
４０：露光制御部
４２：測距制御部
４４：ズーム制御部
４６：バリア制御部
４８：フラッシュ
５０：システム制御部
５２：メモリ
５４：表示部
５６：不揮発性メモリ
６０：電源ＯＮ／ＯＦＦスイッチ
６１：モードダイアルスイッチ
６２：シャッタースイッチＳＷ１
６４：シャッタースイッチＳＷ２
６６：画像表示ＯＮ／ＯＦＦスイッチ
６８：クイックレビューＯＮ／ＯＦＦスイッチ
７０：操作部
７１：マイク
７２：Ａ／Ｄ変換部
８０：電源制御部
８２：コネクタ
８４：コネクタ
８６：電源部
９０：インターフェース
９２：コネクタ
９８：記録媒体着脱検知部
１００：画像処理装置
１０２：保護部
１０４：光学ファインダー
１１０：通信部
１１２：コネクタ（またはアンテナ）
２００：記録媒体
２０２：記録部
２０４：インターフェース
２０６：コネクタ
【図１】
2006229595.tif 000003
【図２】
2006229595.tif 000004
【図３】
2006229595.tif 000005
【図４】
2006229595.tif 000006
【図５】
2006229595.tif 000007
【図６】
2006229595.tif 000008
【図７】
2006229595.tif 000009
【図８】
2006229595.tif 000010
【図９】
2006229595.tif 000011
【図１０】
2006229595.tif 000012
【図１１】
2006229595.tif 000013
【図１２】
2006229595.tif 000014
【図１３】
2006229595.tif 000015